(57)【要約】【課題】ソファーからベッド或いはベッドからソファーに変更する作業が容易であり、ロック解除操作を行わない限りソファーの状態を確実に維持できるソファー兼用ベッドを提供すること。【解決手段】背もたれ部４が、起立状態に移行した時には自動的にロックがかかることで背もたれ部４の起立状態が維持される自動ロック機構１４ｂを有し、自動ロック機構１４ｂが、操作部によりロック解除操作を行ったときのみ、背もたれ部４を起立状態から解放して水平状態へ移行可能に構成することで、ソファーからベッド或いはベッドからソファーに変更する作業を容易に行うことができる。【選択図】  図２
2004160015.tif 000002
【特許請求の範囲】
【請求項１】
本体フレームに固設された略水平な座部と、前記座部の後方で起立する起立状態と、前記座部の後方で座部と連続して略水平をなす水平状態との間で本体フレームに対し回動可能に支持された背もたれ部とを有するソファー兼用ベッドにおいて、
前記背もたれ部が起立状態に移行した時には自動的にロックがかかり背もたれ部の起立状態を維持する自動ロック機構を有し、前記自動ロック機構はロック解除操作を行ったときのみ、前記背もたれ部を起立状態から解放して水平状態へ移行可能であることを特徴とするソファー兼用ベッド。
【請求項２】
前記自動ロック機構はソファー兼用ベッドの左右端近傍２箇所に配置され、前記座部の下面略中央部に左右の自動ロック機構のロック解除が同時に行える操作部が設けられている請求項１に記載のソファー兼用ベッド。
【請求項３】
前記自動ロック機構はロックピンとロックピン把持体とで構成され、その何れか一方が本体フレーム又は座部に、他方が背もたれ部に設けられている請求項１または２に記載のソファー兼用ベッド。
【請求項４】
前記該ロックピン把持体はロック解除を行う操作レバーを有している請求項３に記載のソファー兼用ベッド。
【請求項５】
前記背もたれ部が起立状態から水平状態へ移行する間その移動に抵抗を与える抵抗付与手段を設けた請求項１ないし４の何れかに記載のソファー兼用ベッド。
【発明の詳細な説明】
【０００１】
【発明の属する技術分野】
本発明は、本体フレームに固設された略水平な座部と、前記座部の後方で起立する起立状態と、前記座部の後方で座部と連続して略水平をなす水平状態との間で本体フレームに対し回動可能に支持された背もたれ部とを有するソファー兼用ベッドに関する。
【０００２】
【従来の技術】
この種のソファー兼用ベッドにおいて、背もたれ部を水平状態から起立させた場合に、その背もたれ部を自動的に起立状態を保持し、起立状態からベッドとして使用する時は、起立状態を解除できる係止具を備えたものが知られている（特許文献１参照）。また、座部を前方に引出し、背もたれ部を前方に回動させてベッドとするものも知られていた（特許文献２参照）。
【０００３】
【特許文献１】
実公昭４１−２００４３号公報（第１−２頁、第１図、２図）
【特許文献２】
特開平９−２３８７７９号公報（第４−５頁、第３図―５図）
【０００４】
【発明が解決しようとする課題】
ところで、上記特許文献１に記載のものは、背もたれを起立状態から水平状態にするときに、背もたれを一度前傾させてロック状態を解除させ、その後に後傾させてベッド状態にしていた。このように背もたれを作動させることで簡単にロック状態が解放されるので、例えば、子供等が背もたれで遊んでいるうちに、不意に背もたれが水平状態に倒れることがあり危険であった。また、特許文献２に記載のものは、座部を移動する労力が必要であり、ソファーからベッド或いはベッドからソファーに変更するのが煩雑であった。
【０００５】
本発明は、このような状況に鑑みてなされたもので、ソファーからベッド或いはベッドからソファーに変更する作業が容易であり、ロック解除操作を行わない限りソファーの状態を確実に維持できるソファー兼用ベッドを提供することを目的とするものである。
【０００６】
【課題を解決するための手段】
上記課題を解決するために、本発明のソファー兼用ベッドは、本体フレームに固設された略水平な座部と、前記座部の後方で起立する起立状態と、前記座部の後方で座部と連続して略水平をなす水平状態との間で本体フレームに対し回動可能に支持された背もたれ部とを有するソファー兼用ベッドにおいて、前記背もたれ部が起立状態に移行した時には自動的にロックがかかり背もたれ部の起立状態を維持する自動ロック機構を有し、前記自動ロック機構はロック解除操作を行ったときのみ、前記背もたれ部を起立状態から解放して水平状態へ移行可能であることを特徴としている。
この特徴によれば、背もたれ部を起立状態にすれば自動的にロックがかかりソファー状態が維持され、ベッドにするにはロック状態を解除操作するだけで済み、ソファーからベッド或いはベッドからソファーに変更する作業が容易である。
【０００７】
本発明のソファー兼用ベッドにおいて、前記自動ロック機構はソファー兼用ベッドの左右端近傍２箇所に配置され、前記座部の下面略中央部に左右の自動ロック機構のロック解除が同時に行える操作部が設けられていることが好ましい。
このようにすれば、自動ロック機構が左右端２箇所にあるので、背もたれ部を起立状態に安定的に保持することができ、かつ人目に付きにくい座部の下に自動ロック機構のロック解除を同時に操作できる操作部が設けられているので、安全でかつ操作性がよい。
【０００８】
本発明のソファー兼用ベッドにおいて、前記自動ロック機構はロックピンとロックピン把持体とで構成され、その何れか一方が本体フレーム又は座部に、他方が背もたれ部に設けられていることが好ましい。
このようにすれば、自動ロック機構がロックピンとロックピン把持体との簡素な構成から成るので、本体フレーム又は座部と背もたれ部に容易に取付けられる。
【０００９】
本発明のソファー兼用ベッドにおいて、前記該ロックピン把持体はロック解除を行う操作レバーを有していることが好ましい。
このようにすれば、操作レバーをワイヤー等の遠隔操作部材に連結して自動ロック機構のロック解除をリモート操作できる。
【００１０】
本発明のソファー兼用ベッドにおいて、前記背もたれ部が起立状態から水平状態へ移行する間その移動に抵抗を与える抵抗付与手段を設けることが好ましい。
このようにすれば、背もたれ部が大型で重量があるものであっても、衝撃を伴うことなくゆっくりと水平状態にすることができる。
【００１１】
【発明の実施の形態】
以下、本発明の実施例を図面に基づいて説明する。
【００１２】
図１〜図４は本発明の一実施形態を示すもので、図１はソファー兼用ベッドの斜視図であって、（ａ）は背もたれ部が起立状態にあるソファー兼用ベッドを正面から視た斜視図、（ｂ）はソファー兼用ベッドを後方から視た斜視図、（ｃ）は背もたれ部を座部の後方で座部と連続する水平状態に移行したベッド状態を示す斜視図、図２は図１（ａ）のＡ−Ａの断面図、図３は図１（ｃ）のＣ−Ｃの断面図であり、図４の（ａ）は自動ロック機構と抵抗付与手段の取付け部を示すソファー兼用ベッドの一方の下面から視た部分斜視図、（ｂ）も同じくソファー兼用ベッドの一方の下面から異なる角度で視た部分斜視図である。
【００１３】
図１において、符号１はソファー兼用ベッドであって、このソファー兼用ベッド１は、後述する本体フレームＦに固設された略水平な座部２と、この座部２の後方で起立する起立状態と、座部２の後方で座部２と連続して略水平をなす水平状態との間で本体フレームＦに対し回動可能に支持された背もたれ部４とで構成され、且つ背もたれ部４が起立状態に移行した時には自動的にロックがかかり、背もたれ部４を起立状態に維持する左右一対の自動ロック機構１４ａ、１４ｂを備えている。
【００１４】
詳しくは、図２に示すように背もたれ部４の座部２側に近接する左右端部に固設された一対のブラケット１５と、座部２の左右端部に固設された一対のブラケット１６が、背もたれ部４と座部２の対向する角部上方に配設された枢軸１８に回動可能に枢着されている。
【００１５】
また、背もたれ部４と本体フレームＦ間には、枢軸１８を中心として背もたれ部４が回動して起立状態から水平状態に移行する際の衝撃を緩和するために、抵抗付与手段２０が配設されている。
【００１６】
この抵抗付与手段２０は、例えばショックアブソーバであって、シリンダ２０ａと、このシリンダ２０ａ内に摺動可能に挿嵌され内部に絞り弁が組込まれたピストンとから構成されており、背もたれ部４が起立状態から水平状態に移行する際にロッド２０ｂを介してシリンダ２０ａ内を移動するピストンの圧縮作用により、ヘッド側の部屋からロッド側の部屋に流れる高圧ガスの流量を絞り弁により制限することでピストンの移動時における速度を制限している。
【００１７】
このショックアブソーバ２０は、ロッド２０ｂの先端が座部２を支持する本体フレームＦの前方上面に設けられた支持部２２ａに回動可能に枢着されると共に、シリンダ２０ａのヘッド側も背もたれ部４の座部２に対向する側面下方に設けられた支持部２２ｂに回動可能に枢着されている。
【００１８】
このソファー兼用ベッド１の左右両端には、下面前後にキャスタ７を配置した一対の肘掛け体５ａ、５ｂを有すると共に、背もたれ部４の長手方向内方には、図１（ａ）に示すように、一対の肘掛けアーム６ａ、６ｂが回動可能に枢着支持されており、この肘掛けアーム６ａ、６ｂは背もたれ部４が起立状態において、水平に揺動位置決めすることで肘掛けとして使用することができる。
【００１９】
肘掛けアーム６ａ、６ｂの不使用時には背もたれ部４の収容部９ａ、９ｂ内に背もたれ部４の表面側と面一になって収容できるように構成されている。これにより、図１（ｃ）に示すようにベッドとして使用するときは座部２と背もたれ部４の全面が平らな状態になることができる。
【００２０】
また、背もたれ部４は、起立状態において少なくとも肘掛け体５ａ、５ｂの上面と略同一高さとなる後面支持板８によってその後面が支持されており、背もたれ部４の背面には全長に亘って把持棒Ｈが横設されている。
【００２１】
次に、自動ロック機構１４ａ、１４ｂに付き図２〜図４を参照して詳述する。この自動ロック機構１４ａ、１４ｂは、左右同一構成であるため一方の自動ロック機構１４ｂに付き説明し、他方の自動ロック機構１４ａに係る説明を省略する。
【００２２】
この自動ロック機構１４ｂは、両肘掛け体５ｂ近傍の本体フレームＦに突設したロックピン２４と、背もたれ部４と一体的に回動できるように固設されたロックピン２４を把持することが可能なロックピン把持体２５とから構成されている。
【００２３】
ロックピン把持体２５の片側側面に形成される把持部２５ａとなる凹所の両側に、ロックピン２４の外周を把持する図示しない一対の把持爪が開閉可能に配置され、開放状態にある把持爪中央の当接部がロックピン２４により押圧されると、このロックピン２４が弾力的に自動把持されるように構成されている。
【００２４】
このロックピン把持体２５には、ロックピン２４の把持を開放操作するための操作レバー２６が把持爪の開閉動作と連動するように設けられている。
【００２５】
そして、ロックピン２４は枢軸１８を中心とするロックピン把持体２５の円弧をなす移動軌跡上に設けられ、背もたれ部４が水平状態から起立状態に移行する回動の終端においてロックピン把持体２５の把持部２５ａがロックピン２４を把持して自動ロックするようになっている。
【００２６】
一方、図１（ａ）に示すように、座部の下面略中央部に設けられたロック解除の操作を行う解除操作部１２は、左右のロックピン把持体２５の操作レバー２６とワイヤーＷで連結されている。
【００２７】
そこで、起立状態にあるソファー兼用ベッド１を、ベッドとして使用する際は、背もたれ部４を水平状態へ移行するために、解除操作部１２を操作するとワイヤーＷを介して操作レバー２６が駆動され、ロックピン把持体２５の把持爪を左右同時に開放することでロックピン２４のロックが解除される。
【００２８】
これにより、ロックが解除された背もたれ部４は、起立状態から後方に押されることで枢軸１８を中心として図２において時計回り（下方に）回動し、背もたれ部４の後面が、図３に示すように、左右端における両肘掛け体５ａ、５ｂ近傍の本体フレームＦの内側に突設した一対のストッパ２８に当接して水平状態に保持することができる。
【００２９】
次に、水平状態にあるソファー兼用ベッド１を、ソファーとして使用する際は、背もたれ部４を起立状態へ移行するために、水平状態にある背もたれ部４背面の把持棒Ｈを持って持ち上げた際、背もたれ部４が枢軸１８を中心として反時計回り（上方に）回動する動作と同時にロックピン把持体２５が回動し、左右のロックピン２４がこのロックピン把持体２５の把持部２５ａにより把持されて自動的にロックされるので、起立状態に保持することができる。この状態になると操作レバー２６を介して解除操作部１２は解除前の状態に復帰される。
【００３０】
従って、上記のように構成されたソファー兼用ベッド１によれば、背もたれ部４が起立状態に移行した時には自動的にロックがかかることで、背もたれ部４の起立状態が維持され、この自動ロック機構１４ａ、１４ｂが解除操作部１２によりロック解除操作を行ったときのみ、背もたれ部４を起立状態から解放して水平状態へ移行できるので、ソファーからベッド或いはベッドからソファーに変更する作業を容易に行うことができる。
【００３１】
また、自動ロック機構１４ａ，１４ｂは、ソファー兼用ベッド１の左右端近傍２箇所に配置されているので、背もたれ部４を起立状態に安定的に保持することができ、座部２の人目に付きにくい下面略中央部において、２つの自動ロック機構１４ａ，１４ｂの解除を同時に行える解除操作部１２が設けられているので、安全でかつ操作性がよい。
【００３２】
更に、ロックピン２４と把持部２５ａを設けたロックピン把持体２５とで構成されている自動ロック機構１４ａ、１４ｂは、その何れか一方が本体フレームＦ又は座部２に、他方が背もたれ部４に設けられているので、既存のソファー兼ベッドに容易に取り付けることができる。
【００３３】
また、背もたれ部４が、起立状態から水平状態へ移行する間その移動に抵抗を与える抵抗付与手段として、ショックアブソーバ２０を設けた構成となっているので、背もたれ部４が大型で重量があるものであっても、衝撃を伴うことなくゆっくりと水平状態にすることができる。
【００３４】
【発明の効果】
本発明は以下の効果を奏する。
【００３５】
（ａ）請求項１項の発明によれば、背もたれ部を起立状態にすれば自動的にロックがかかりソファー状態が維持され、ベッドにするにはロック状態を解除操作するだけで済み、ソファーからベッド或いはベッドからソファーに変更する作業が容易である。
【００３６】
（ｂ）請求項２項の発明によれば、自動ロック機構が左右端２箇所にあるので、背もたれ部を起立状態に安定的に保持することができ、かつ人目に付きにくい座部の下に自動ロック機構のロック解除を同時に操作できる操作部が設けられているので、安全でかつ操作性がよい。
【００３７】
（ｃ）請求項３項の発明によれば、自動ロック機構がロックピンとロックピン把持体との簡素な構成から成るので、本体フレーム又は座部と背もたれ部に容易に取付けられる。
【００３８】
（ｄ）請求項４項の発明によれば、操作レバーをワイヤー等の遠隔操作部材に連結して自動ロック機構のロック解除をリモート操作できる。
【００３９】
（ｅ）請求項５項の発明によれば、背もたれ部が大型で重量があるものであっても、衝撃を伴うことなくゆっくりと水平状態にすることができる。
【図面の簡単な説明】
【図１】本発明の一実施形態に係るソファー兼用ベッドの斜視図であって、（ａ）は背もたれ部が起立状態にあるソファー兼用ベッドを正面から視た斜視図、（ｂ）はソファー兼用ベッドを後方から視た斜視図、（ｃ）は背もたれ部を座部の後方で座部と連続する水平状態に移行したベッド状態を示す斜視図である。
【図２】図１（ａ）のＡ−Ａ断面図である。
【図３】図１（ｃ）のＣ−Ｃ断面図である。
【図４】（ａ）は自動ロック機構と抵抗付与手段の取付け部を示すソファー兼用ベッドの一方の下面から視た部分斜視図、（ｂ）も同じくソファー兼用ベッドの一方の下面から異なる角度で視た部分斜視図である。
【符号の説明】
１                    ソファー兼用ベッド
２                    座部
４                    背もたれ部
５ａ、５ｂ            肘掛け体
６ａ、６ｂ            肘掛けアーム
７                    キャスタ
８                    後面支持板
９ａ、９ｂ            収容部
１２                  解除操作部
１４ａ、１４ｂ        自動ロック機構
１５、１６            ブラケット
１８                  枢軸
２０                  ショックアブソーバ（抵抗付与手段）
２０ａ                シリンダ
２０ｂ                ロッド
２２ａ、２２ｂ        支持部
２４                  ロックピン
２５                  ロックピン把持体
２５ａ                把持部
２６                  操作レバー
２８                  ストッパ
Ｆ                    本体フレーム
Ｈ                    把持棒
Ｗ                    ワイヤー
【図１】
2004160015.tif 000003
【図２】
2004160015.tif 000004
【図３】
2004160015.tif 000005
【図４】
2004160015.tif 000006